(57)【要約】水排出装置を開示する。本発明の一実施形態による水排出装置は、水が流動する流動路、及び上記流動路と外部に連結されて上記流動路を流動した水が外部に排出される排出口が形成されたメインボディと、上記流動路に移動可能に設けられて前記流動路に形成された開閉孔を開閉する開閉部材を含む開閉部と、回転する回転部材を含み、上記メインボディ及び開閉部と連携し、上記回転部材の回転によって上記開閉部材が上記流動路を移動される操作部と、を含むことができる。
2019502072.tif 000002
【特許請求の範囲】
【請求項１】
水が流動する流動路、及び前記流動路と外部を連結して前記流動路を流動した水が外部に排出される排出口、を含むメインボディと、
前記流動路に移動可能に設けられて前記流動路に形成された開閉孔を開閉する開閉部材を含む開閉部と、
回転部材を含み、前記メインボディ及び前記開閉部と連携して、前記回転部材が回転することによって前記開閉部材が前記流動路を移動するのを可能にする操作部と、
を備えた水排出装置。
【請求項２】
前記開閉部は運動転換部材を含み、前記運動転換部材は、前記開閉部材に含まれる連結部が連結されて、前記回転部材の回転に伴って回転しながら前記流動路の長さ方向に移動する、請求項１に記載の水排出装置。
【請求項３】
前記運動転換部材は、前記メインボディに形成されたガイド孔に挿入されるガイド突起を有し、前記ガイド孔に沿って回転しながら移動する、請求項２に記載の水排出装置。
【請求項４】
前記回転部材は、前記運動転換部材が移動可能に挿入される挿入部を有する、請求項３に記載の水排出装置。
【請求項５】
前記挿入部は、前記ガイド突起の移動をガイドするガイド溝を有する、請求項４に記載の水排出装置。
【請求項６】
前記運動転換部材は、前記連結部と連結される連結孔を有する、請求項３に記載の水排出装置。
【請求項７】
前記開閉部は、前記連結孔に連結される一側と、前記連結部が連結される他側とを有する連結部材をさらに含む、請求項６に記載の水排出装置。
【請求項８】
前記連結部材の一側には前記連結孔に嵌め込まれる嵌め込み突起が形成され、他側には前記連結部が嵌め込まれる嵌め込み凹部が形成される、請求項７に記載の水排出装置。
【請求項９】
前記開閉部は、前記メインボディに設けられて前記連結部材を移動可能に支持する部材支持部材をさらに含む、請求項７に記載の水排出装置。
【請求項１０】
前記部材支持部材は、前記連結部材の他側が移動可能に挿入されて支持される移動支持孔を有する、請求項９に記載の水排出装置。
【請求項１１】
前記開閉部は、前記部材支持部材とメインボディとの間に設けられて前記流動路の開放した一側をシールする流路シール部材をさらに含む、請求項９に記載の水排出装置。
【請求項１２】
前記流路シール部材は、前記連結部が嵌め込まれ、前記連結部とともに前記連結部材に形成された嵌め込み凹部に嵌め込まれる嵌め込み部を有する、請求項１１に記載の水排出装置。
【請求項１３】
前記開閉孔を開閉する前記開閉部材に含まれる孔開閉部は、孔シール部材を有する、請求項２に記載の水排出装置。
【請求項１４】
前記開閉部は、前記開閉部材を弾性支持する第１弾性部材をさらに含む、請求項２に記載の水排出装置。
【請求項１５】
前記開閉部は、前記流動路に設けられ、前記開閉部材に含まれる移動可能な移動ガイド部を有しており、前記第１弾性部材を支持する支持部材をさらに含む、請求項１４に記載の水排出装置。
【請求項１６】
前記支持部材は、前記移動ガイド部が移動可能に挿入される移動ガイド孔と、水が通過することができる水通過孔とを有する、請求項１５に記載の水排出装置。
【請求項１７】
前記操作部は、前記メインボディの一側が挿入される操作部ボディと、前記操作部ボディの開放した一側を覆う操作部蓋と、をさらに含む、請求項２に記載の水排出装置。
【請求項１８】
前記回転部材は、前記操作部ボディと操作部蓋との間に回転可能に設けられる、請求項１７に記載の水排出装置。
【請求項１９】
前記回転部材に第１磁石が設けられ、
前記開閉部材が前記開閉孔を開く前記回転部材の回転位置において、前記操作部蓋の前記第１磁石の位置と対応する位置に第２磁石が設けられる、請求項１８に記載の水排出装置。
【請求項２０】
前記操作部ボディは第１結合部を有し、前記操作部蓋は前記第１結合部が結合される第２結合部を有する、請求項１８に記載の水排出装置。
【請求項２１】
前記回転部材は、前記第１結合部または第２結合部が通過する結合部通過孔を有する、請求項２０に記載の水排出装置。
【請求項２２】
前記回転部材に第２弾性部材が連結され、
前記第２弾性部材は、前記結合部通過孔を介して前記第１結合部または第２結合部に連結される、請求項２１に記載の水排出装置。
【発明の詳細な説明】
【技術分野】
【０００１】
本発明は、水供給源に連結され、水供給源の水を外部に排出して使用者に供給する水排出装置に関する。
【背景技術】
【０００２】
水排出装置は、水供給源に連結され、水供給源の水を外部に排出して使用者に供給する装置である。
【０００３】
従来、水排出装置は、水供給源から供給された水が流動する流動路を備えており、流動路に開閉部材が移動可能に設けられている。そして、レバー部材の旋回による開閉部材の移動で流動路が開閉される。
【０００４】
かかる水排出装置では、レバー部材を押しているときだけ水排出装置から水が排出されるので、使用者がコップなどを持っている状態でレバー部材を旋回させなければならず、不便であった。
【発明の概要】
【発明が解決しようとする課題】
【０００５】
本発明は、上記のような従来から発生していた要請または問題の少なくとも何れか一つを認識してなされたものである。
【０００６】
本発明の一目的は、水供給源から水排出装置に供給された水を水排出装置から外部に便利に排出するようにすることにある。
【０００７】
本発明の一目的は、水が水排出装置に流動できるように形成された流動路流動路内で開閉部材が移動して、回転部材の回転により流動路に形成された開閉孔を開閉できるようにすることにある。
【課題を解決するための手段】
【０００８】
上記課題のうち少なくとも１つの課題を実現するための一実施形態に係る水排出装置は、次のような特徴を有することができる。
【０００９】
本発明の一実施形態による水排出装置は、水が流動する流動路、及び流動路と外部に連結されて流動路を流動した水が外部に排出される排出口が形成されたメインボディと、流動路に移動可能に設けられて流動路に形成された開閉孔を開閉する開閉部材を含む開閉部と、回転する回転部材を含み、メインボディ及び開閉部と連携し、回転部材の回転によって開閉部材が流動路を移動される操作部と、を含むことができる。
【００１０】
この場合、上記開閉部は運動転換部材を含み、運動転換部材は、開閉部材に含まれる連結部が連結されて、回転部材の回転に伴って回転しながら流動路の長さ方向に移動することができる。
【００１１】
また、上記運動転換部材は、メインボディに形成されたガイド孔に挿入されるガイド突起を有し、ガイド孔に沿って回転しながら移動することができる。
【００１２】
そして、上記回転部材は、運動転換部材が移動可能に挿入される挿入部を有することができる。
【００１３】
また、上記挿入部は、ガイド突起の移動をガイドするガイド溝を有することができる。
【００１４】
そして、上記運動転換部材は、連結部と連結される連結孔を有することができる。
【００１５】
また、上記開閉部は、連結孔に連結される一側と、連結部が連結される他側とを有する連結部材をさらに含むことができる。
【００１６】
そして、上記連結部材の一側には連結孔に嵌め込まれる嵌め込み突起が形成され、他側には連結部が嵌め込まれる嵌め込み凹部が形成されることができる。
【００１７】
また、上記開閉部は、メインボディに設けられて連結部材を移動可能に支持する部材支持部材をさらに含むことができる。
【００１８】
そして、上記部材支持部材は、連結部材の他側が移動可能に挿入されて支持される移動支持孔を有することができる。
【００１９】
また、上記開閉部は、部材支持部材とメインボディとの間に設けられて流動路の開放した一側をシールする流路シール部材をさらに含むことができる。
【００２０】
そして、上記流路シール部材は、連結部が嵌め込まれ、連結部とともに前記連結部材に形成された嵌め込み凹部に嵌め込まれる嵌め込み部を有することができる。
【００２１】
また、上記開閉孔を開閉する前記開閉部材に含まれる孔開閉部は、孔シール部材を有することができる。
【００２２】
そして、上記開閉部は、開閉部材を弾性支持する第１弾性部材をさらに含むことができる。
【００２３】
また、上記開閉部は、流動路に設けられ、開閉部材に含まれる移動可能な移動ガイド部を有しており、第１弾性部材を支持する支持部材をさらに含むことができる。
【００２４】
そして、上記支持部材には、移動ガイド部が移動可能に挿入される移動ガイド孔と、水が通過することができる水通過孔とを有することができる。
【００２５】
また、上記操作部は、メインボディの一側が挿入される操作部ボディと、前記操作部ボディの開放した一側を覆う操作部蓋と、をさらに含むことができる。
【００２６】
そして、上記回転部材は、操作部ボディと操作部蓋との間に回転可能に設けることができる。
【００２７】
また、上記回転部材に第１磁石を設け、開閉部材が前記開閉孔を開く前記回転部材の回転位置において、前記操作部蓋の前記第１磁石の位置と対応する位置に第２磁石を設けることができる。
【００２８】
そして、上記操作部ボディは第１結合部を有し、前記操作部蓋は前記第１結合部が結合される第２結合部を有することができる。
【００２９】
また、上記回転部材は、第１結合部または第２結合部が通過する結合部通過孔を有することができる。
【００３０】
そして、上記回転部材に第２弾性部材が連結され、第２弾性部材は、前記結合部通過孔を介して第１結合部または第２結合部に連結されることができる。
【発明の効果】
【００３１】
以上のような本発明の実施形態によると、水が水排出装置に流動できるように形成された流動路流動路内で開閉部材が移動して、回転部材の回転により流動路に形成された開閉孔を開閉することができる。
【００３２】
また、本発明の実施形態によると、水供給源から水排出装置に供給された水を便利に水排出装置から外部に排出することができる。
【図面の簡単な説明】
【００３３】
【図１】本発明による水排出装置の一実施形態の斜視図である。
【図２】本発明による水排出装置の一実施形態の操作部をメインボディ及び開閉部から分離したことを示す図である。
【図３】本発明による水排出装置の一実施形態の操作部の分解斜視図である。
【図４】本発明による水排出装置の一実施形態のメインボディ及び開閉部の分解斜視図である。
【図５】図１のＩ−Ｉ’線に沿った断面図である。
【図６】浄水器に設けられた浄水タンクに連結されるように浄水器の浄水器本体に設けられた本発明による水排出装置の一実施形態を示す図である。
【図７】本発明による水排出装置の一実施形態の作動を示す図であって、開閉部の開閉部材がメインボディの開閉孔を閉じるように操作部の回転部材が回転したことを示す図である。
【図８】本発明による水排出装置の一実施形態の作動を示す図であって、開閉部の開閉部材がメインボディの開閉孔を閉じるように操作部の回転部材が回転したことを示す図である。
【図９】本発明による水排出装置の一実施形態の作動を示す図であって、開閉部の開閉部材がメインボディの開閉孔を開くように操作部材の回転部材が回転したことを示す図である。
【図１０】本発明による水排出装置の一実施形態の作動を示す図であって、開閉部の開閉部材がメインボディの開閉孔を開くように操作部材の回転部材が回転したことを示す図である。
【発明を実施するための形態】
【００３４】
上記のような本発明の特徴が容易に理解されるように、以下では、本発明の実施形態に係る水排出装置についてより詳細に説明する。
【００３５】
以下で説明される実施形態では、本発明の技術的な特徴を理解させるのに最も適した実施形態に基づいて説明するが、説明される実施形態により本発明の技術的な特徴が制限されるのではなく、以下で説明される実施形態のように、本発明を実現できることを例示するためのものである。したがって、本発明は、以下で説明された実施形態から本発明の技術範囲内で様々な変形実施が可能であり、このような変形実施形態は本発明の技術範囲内に属する。そして、以下で説明される実施形態の理解を助けるために添付された図面に記載の符号に関しては、各実施形態において同一の作用をする構成要素のうち関連する構成要素に対して同一または延長線上の数字で表記した。
【００３６】
以下、図１から図１０を参照して、本発明による水排出装置の一実施形態について説明する。
【００３７】
図１は本発明による水排出装置の一実施形態の斜視図であり、図２は本発明による水排出装置の一実施形態の操作部をメインボディ及び開閉部から分離したことを示す図である。
【００３８】
図３は本発明による水排出装置の一実施形態の操作部の分解斜視図であり、図４は本発明による水排出装置の一実施形態のメインボディ及び開閉部の分解斜視図である。
【００３９】
図５は図１のＩ−Ｉ’線に沿った断面図であり、図６は本発明による水排出装置の一実施形態が、浄水器に設けられた浄水タンクに連結されるように浄水器の浄水器本体に設けられることを示す図である。
【００４０】
図７から図１０は本発明による水排出装置の一実施形態の作動を示す図であり、図７及び図８は開閉部の開閉部材がメインボディの開閉孔を閉じるように操作部の回転部材が回転している状態を示し、図９及び図１０は開閉部の開閉部材がメインボディの開閉孔を開くように操作部材の回転部材が回転している状態を示している。
【００４１】
本発明による水排出装置１００は、図１から図５に示すように、メインボディ２００と、開閉部３００と、操作部４００と、を含むことができる。
【００４２】
メインボディ
メインボディ２００には、図５に示すように流動路２１０が形成されることができる。流動路２１０は、水供給源に連結されることができる。そして、図８及び図１０に示すように、水供給源からの水は、流動路２１０に流入してその内部を流動することができる。
【００４３】
流動路２１０に連結される水供給源は、図６に示すように、浄水器ＷＰに設けられ、浄水フィルター（不図示）によって濾過された浄水を貯蔵する浄水タンクＷＴであることができる。
【００４４】
図６に示すように、メインボディ２００は、別の連結ユニットＣＵによって浄水タンクＷＴに連結されて、流動路２１０が浄水タンクＷＴに連結されるようにすることができる。この場合、メインボディ２００に連結シール部材ＯＲを設けて、メインボディ２００と連結ユニットＣＵとの間の連結部分の漏水を防止することができる。
【００４５】
流動路２１０に連結される水供給源は、上述の浄水タンクＷＴに限定されず、流動路２１０に水を供給することができるものであれば、浄水器ＷＰに流入された水を濾過するように設けられた浄水フィルターなど、周知の如何なるものであってもよい。
【００４６】
流動路２１０は、メインボディ２００を貫通して形成することができる。そして、流動路２１０の開放された一側は、図５に示すように、後述の開閉部３００に含まれる流路シール部材３５０によってシールされ、開放された他側は、上述のように水供給源に連結されることができる。
【００４７】
流動路２１０には、開閉孔２１１を形成することができる。開閉孔２１１は、開閉部３００に含まれる後述の開閉部材３１０の移動によって図８及び図１０に示すように開閉されることができる。
【００４８】
流動路２１０には、上述の開閉孔２１１の他に、連結部通過孔２１２が形成されることができる。開閉部材３１０に含まれる連結部３１１は、図５に示すように、連結部通過孔２１２を通過して支持されることができる。
【００４９】
連結部通過孔２１２は流動路２１０の中央に形成されており、連結部通過孔２１２の周りには、複数個、例えば、４個の開閉孔２１１を形成することができる。
【００５０】
しかしながら、開閉孔２１１と連結部通過孔２１２の形状及び位置は特に限定されず、如何なる形状であってもよく、流動路２１０の何れの位置に形成されてもよい。
【００５１】
メインボディ２００には、上述の流動路２１０に加えて、排出口２２０を有することができる。排出口２２０は、流動路２１０と外部に連結されることができる。
【００５２】
開閉部３００の上述の開閉部材３１０の移動により、図８に示すように開閉孔２１１が閉じると、流動路２１０に流入した水は、排出口２２０に流動することができなくなる。
【００５３】
しかしながら、開閉部３００の開閉部材３１０の移動により、図１０に示すように開閉孔２１１が開くと、流動路２１０に流入された水は、排出口２２０に流動して外部に排出され、使用者に供給されることができる。
【００５４】
排出口２２０には、図５に示すように排出ガイド部材２４０を連結することができる。そして、水は、排出口２２０と排出ガイド部材２４０を介して外部に排出され、使用者に供給されることができる。
【００５５】
メインボディ２００は、図４に示すようにガイド孔２３０を有することができる。ガイド孔２３０には、開閉部３００に含まれる後述の運動転換部材３２０に形成されたガイド突起３２１を挿入することができる。
【００５６】
そして、操作部４００に含まれる後述の回転部材４１０の回転に伴って回転部材４１０とともに運動転換部材３２０が回転すると、運動転換部材３２０のガイド突起３２１がガイド孔２３０に沿って移動することができ、運動転換部材３２０が回転しながら流動路２１０の長さ方向に移動することができる。
【００５７】
ガイド孔２３０は、メインボディ２００の一側外周に、メインボディ２００の長さ方向に対して斜めに形成されることができる。
【００５８】
しかしながら、ガイド孔２３０のメインボディ２００に対する位置及び形状は特に限定されず、運動転換部材３２０のガイド突起３２１が挿入され、操作部４００の回転部材４１０の回転に伴って運動転換部材３２０が回転しながら流動路２１０の長さ方向に移動することができる位置及び形状であれば、如何なる位置及び形状であってもよい。
【００５９】
開閉部
開閉部３００は、開閉部材３１０を含むことができる。開閉部材３１０は、メインボディ２００の流動路２１０に移動可能に設けられて、流動路２１０に形成された上述の開閉孔２１１を開閉することができる。
【００６０】
図４に示すように、開閉部材３１０は、連結部３１１と、孔開閉部３１２と、移動ガイド部３１３と、を含むことができる。
【００６１】
開閉部材３１０の連結部３１１は、後述の流路シール部材３５０に形成された嵌め込み部３５１に嵌め込まれることができる。そして、連結部３１１は、流路シール部材３５０の嵌め込み部３５１とともに、後述の連結部材３３０に形成された嵌め込み凹部３３２に嵌め込まれることができる。
【００６２】
開閉部材３１０の連結部３１１は、図５に示すように、上述のメインボディ２００の流動路２１０に形成された連結部通過孔２１２を通過し、流路シール部材３５０の嵌め込み部３５１とともに連結部材３３０の嵌め込み凹部３３２に嵌め込まれることができる。
【００６３】
開閉部材３１０の孔開閉部３１２は、開閉孔２１１を開閉することができる。そのために、孔開閉部３１２には、図４及び図５に示すように、孔シール部材３１２ａを設けることができる。しかしながら、孔開閉部３１２の構成は特に限定されず、開閉孔２１１を開閉することができる構成であれば周知の如何なる構成であってもよい。
【００６４】
一方、開閉部材３１０の孔開閉部３１２は、図４及び図５に示すように、後述の第１弾性部材３６０によって弾性支持されることができる。
【００６５】
開閉部材３１０の移動ガイド部３１３は、後述するが、図４及び図５に示したメインボディ２００の流動路２１０に設けられた支持部材３７０に移動可能に設けることができる。例えば、開閉部材３１０の移動ガイド部３１３は、支持部材３７０に形成された移動ガイド孔３７１に移動可能に挿入されて支持されることができる。
【００６６】
開閉部３００は、運動転換部材３２０をさらに含むことができる。運動転換部材３２０には、開閉部材３１０の連結部３１１を連結することができる。また、運動転換部材３２０は、操作部４００の回転部材４１０の回転に伴って回転しながらメインボディ２００の流動路２１０の長さ方向に移動することができる。
【００６７】
これにより、操作部４００の回転部材４１０の回転運動が開閉部３００の開閉部材３１０によるメインボディ２００の流動路２１０に沿った移動運動に転換され、開閉部材３１０がメインボディ２００の流動路２１０の開閉孔２１１を開閉することができる。
【００６８】
運動転換部材３２０には、図４に示すようにガイド突起３２１を形成することができる。ガイド突起３２１は、メインボディ２００の上述のガイド孔２３０に挿入することができる。
【００６９】
したがって、操作部４００の回転部材４１０の回転に伴って運動転換部材３２０が回転すると、運動転換部材３２０のガイド突起３２１は、メインボディ２００のガイド孔２３０に沿って回転しながら流動路２１０の長さ方向に移動することができる。
【００７０】
運動転換部材３２０には、連結孔３２２を形成することができる。運動転換部材３２０は、連結孔３２２を介して、開閉部材３１０の連結部３１１と連結することができる。
【００７１】
開閉部３００は、連結部材３３０をさらに含むことができる。
【００７２】
連結部材３３０の一側は、上述の運動転換部材３２０の連結孔３２２に連結することができる。例えば、図４及び図５に示すように、連結部材３３０の一側に嵌め込み突起３３１を形成し、嵌め込み突起３３１を運動転換部材３２０の連結孔３２２に嵌め込むことで、連結部材３３０の一側を運動転換部材３２０の連結孔３２２に連結することができる。
【００７３】
連結部材３３０の他側には、開閉部材３１０の連結部３１１を連結することができる。例えば、図４及び図５に示すように、連結部材３３０の他側に嵌め込み凹部３３２を形成し、開閉部材３１０の連結部３１１を流路シール部材３５０の嵌め込み部３５１とともに連結部材３３０の嵌め込み凹部３３２に嵌め込むことで、連結部材３３０の他側に開閉部材３１０の連結部３１１を連結することができる。
【００７４】
開閉部３００は、部材支持部材３４０をさらに含むことができる。図５に示すように、部材支持部材３４０は、メインボディ２００に設けることができる。そして、部材支持部材３４０は、上述の連結部材３３０を移動可能に支持することができる。
【００７５】
例えば、部材支持部材３４０に移動支持孔３４１を形成し、移動支持孔３４１に連結部材３３０の他側を移動可能に挿入して支持することができる。
【００７６】
開閉部３００は、流路シール部材３５０をさらに含むことができる。流路シール部材３５０は、メインボディ２００の流動路２１０の開放された一側をシールするように、部材支持部材３４０とメインボディ２００との間に設けることができる。
【００７７】
これにより、流動路２１０を流動する水が、流動路２１０の開放された一側を介して排出されないようにすることができる。
【００７８】
図４及び図５に示すように、流路シール部材３５０には、嵌め込み部３５１を形成することができる。開閉部材３１０の連結部３１１は、嵌め込み部３５１に嵌め込むことができる。そして、嵌め込み部３５１は、開閉部材３１０の連結部３１１が嵌め込まれた状態で、連結部３１１とともに上述の連結部材３３０の嵌め込み凹部３３２に嵌め込むことができる。
【００７９】
開閉部３００は、第１弾性部材３６０をさらに含むことができる。第１弾性部材３６０は、開閉部材３１０を弾性支持することができる。例えば、第１弾性部材３６０は、図５に示すように開閉部材３１０の孔開閉部３１２を弾性支持することができる。
【００８０】
操作部４００の回転部材４１０の一側方向への回転に伴う運動転換部材３２０の一側方向への回転と移動により、開閉部材３１０がメインボディ２００の流動路２１０に沿って一側方向に移動して流動路２１０に形成された開閉孔２１１を開くと、図１０に示すように第１弾性部材３６０が圧縮される。
【００８１】
この状態で、回転部材４１０を回転または停止させる外力が除去されると、開閉部材３１０は、第１弾性部材３６０の弾性力によって流動路２１０に沿って上述の方向と反対の他側方向に移動し、図８に示すように開閉孔２１１を閉じることができる。
【００８２】
そして、回転部材４１０は、開閉孔２１１を閉じるようにする上述の開閉部材３１０の他側方向への移動による運動転換部材３２０の他側方向への移動と回転に伴って、他側方向に回転することができる。
【００８３】
開閉部３００は、支持部材３７０をさらに含むことができる。支持部材３７０は、図５に示すように流動路２１０に設けることができる。そして、支持部材３７０は、開閉部材３１０の移動ガイド部３１３が移動可能となるように設けることができる。
【００８４】
そのために、支持部材３７０には、移動ガイド部３１３が移動可能に挿入される移動ガイド孔３７１を形成することができる。
【００８５】
また、支持部材３７０には、水通過孔３７２を形成することができる。水通過孔３７２を介して、水が支持部材３７０を通過して、メインボディ２００の流動路２１０を流動することができる。
【００８６】
このような支持部材３７０は、上述の第１弾性部材３６０を支持することができる。
【００８７】
操作部
操作部４００は、図３に示すように、回転する回転部材４１０を含むことができる。そして、開閉部３００の開閉部材３１０は、メインボディ２００及び開閉部３００と連携して回転部材４１０が回転することによって、メインボディ２００の流動路２１０を移動することができる。
【００８８】
これにより、図７から図１０に示すように、回転部材４１０が回転することにより、開閉部材３１０は、流動路２１０の開閉孔２１１を開閉することができる。
【００８９】
したがって、水供給源から水排出装置１００、すなわち、水排出装置１００の流動路２１０に供給された水を便利に水排出装置１００から外部に排出させることができる。
【００９０】
回転部材４１０は、後述する操作部ボディ４２０と操作部蓋４３０との間に回転可能に設けることができる。しかしながら、回転部材４１０が回転する構成は特に限定されず、周知の如何なる構成であってもよい。
【００９１】
回転部材４１０には、図３に示すように把手４１５を形成することができる。したがって、使用者は、把手４１５を把持して回転部材４１０を回転させることができる。把手４１５の開放した側は、図３に示すような把手蓋４１６によって覆うことができる。
【００９２】
回転部材４１０は、図７に示すような閉位置、すなわち図８に示すようにメインボディ２００の流動路２１０の開閉孔２１１を開閉部材３１０が閉じることとなる位置と、図９に示すような開位置、すなわち図１０に示すように開閉部材３１０が開閉孔２１１を開くこととなる位置との間で回転することができる。
【００９３】
回転部材４１０には、挿入部４１１を形成することができる。挿入部４１１には、開閉部３００の上述の運動転換部材３２０を移動可能に挿入することができる。
【００９４】
これにより、運動転換部材３２０は、回転部材４１０の回転に伴って、回転部材４１０とともに回転することができる。
【００９５】
このように、運動転換部材３２０が回転部材４１０とともに回転すると、運動転換部材３２０のガイド突起３２１は、メインボディ２００のガイド孔２３０に沿って回転し移動する。
【００９６】
そして、運動転換部材３２０は、回転部材４１０とともに回転しながら、回転部材４１０の挿入部４１１内で移動する。
【００９７】
そのために、挿入部４１１には、図３に示すように、運動転換部材３２０のガイド突起３２１の移動をガイドするためのガイド溝４１１ａを形成することができる。
【００９８】
回転部材４１０には、図３に示すように結合部通過孔４１２を形成することができる。結合部通過孔４１２には、操作部ボディ４２０に形成された第１結合部４２１（後述する）、または、操作部蓋４３０に形成され第１結合部４２１に結合される第２結合部４３１（後述する）を通過させることができる。
【００９９】
回転部材４１０は、図３に示すように第１磁石４１３を有することができる。また、開閉部３００の開閉部材３１０がメインボディ２００の流動路２１０の開閉孔２１１を開く回転部材４１０の回転位置、すなわち、回転部材４１０の開位置において、操作部蓋４３０の第１磁石４１３の位置と対応する位置には、図３に示すように第２磁石４３２を設けることができる。
【０１００】
したがって、第１磁石４１３と第２磁石４３２の磁力によって、回転部材４１０を図９に示した開位置に固定することができる。
【０１０１】
そして、第１磁石４１３と第２磁石４３２の磁力が、例えば、第１弾性部材３６０の弾性力などよりも小さくなる位置に、使用者が回転部材４１０を所定角度回転させると、回転部材４１０は、第１弾性部材３６０の弾性力などによって閉位置に回転することができる。
【０１０２】
回転部材４１０には、図３に示すように第２弾性部材４１４を連結することができる。また、第２弾性部材４１４は、上述の結合部通過孔４１２を介して操作部ボディ４２０の第１結合部４２１または操作部蓋４３０の第２結合部４３１に連結することができる。
【０１０３】
これにより、図９に示すように回転部材４１０が開位置に回転すると、第２弾性部材４１４が伸長されて、第２弾性部材４１４の弾性力を回転部材４１０に作用させることができる。
【０１０４】
この状態で、上述のように、第１磁石４１３と第２磁石４３２の磁力が第１弾性部材３６０と第２弾性部材４１４の弾性力の和よりも小さくなる位置に、使用者が回転部材４１０を所定角度回転させると、回転部材４１０は、第１弾性部材３６０と第２弾性部材４１４の弾性力によって、閉位置に回転することができる。
【０１０５】
操作部４００は、操作部ボディ４２０及び操作部蓋４３０をさらに含むことができる。操作部ボディ４２０には、メインボディ２００の一側を挿入することができる。また、操作部蓋４３０は、操作部ボディ４２０の開放した側を覆うことができる。
【０１０６】
操作部ボディ４２０には、第１結合部４２１を形成することができる。また、操作部蓋４３０には、第２結合部４３１を形成することができる。そして、操作部ボディ４２０の第１結合部４２１と操作部蓋４３０の第２結合部４３１とをボルトなどによって結合することで、操作部ボディ４２０と操作部蓋４３０を結合することができる。
【０１０７】
３つの第１結合部４２１が操作部ボディ４２０に形成されており、これに対応するように、３つの第２結合部４３１を操作部蓋４３０に形成することができる。そして、回転部材４１０には、３つの結合部通過孔４１２を形成することができる。
【０１０８】
しかしながら、第１結合部４２１とこれに対応する第２結合部４３１及び結合部通過孔４１２の数は特に限定されず、幾つであってもよい。
【０１０９】
操作部ボディ４２０には、排出ガイド部材２４０が通過するガイド部材通過孔４２２が形成されることができる。また、操作部ボディ４２０には、浄水器ＷＰの浄水器本体ＷＢに設けるのを補助するための装着補助部材４２３を有することができる。
【０１１０】
そして、操作部蓋４３０は、外部蓋４３３を有することができる。
【０１１１】
以上のように本発明による水排出装置を用いると、開閉部材が水排出装置に形成された流動路を移動してその中に水が流入することができ、開閉部材が流動路に形成された開閉孔を開閉して、水供給源から水排出装置に供給された水を便利に水排出装置から外部に排出させることができる。
【０１１２】
上記のように説明された水排出装置は、上記で説明された実施形態の構成が限定されて適用されるのではなく、上記実施形態が多様に変形され得るように、各実施形態の全部または一部が選択的に組み合わされて構成されることもできる。
【図１】
2019502072.tif 000003
【図２】
2019502072.tif 000004
【図３】
2019502072.tif 000005
【図４】
2019502072.tif 000006
【図５】
2019502072.tif 000007
【図６】
2019502072.tif 000008
【図７】
2019502072.tif 000009
【図８】
2019502072.tif 000010
【図９】
2019502072.tif 000011
【図１０】
2019502072.tif 000012
【国際調査報告】
2019502072.tif 000013
2019502072.tif 000014
2019502072.tif 000015
2019502072.tif 000016